(57)【要約】【課題】ゴルフ手袋の甲部分に施された標章の色彩を簡単に変化させ、１つのゴルフ手袋でもゴルフプレー時の気分で色彩を変えられるようにする。【解決手段】開閉バンド（３）の表面に施された標章（６）の一部又は全部を透明に形成し、開閉バンド（３）の裏面にポケット部（９）を形成し、ポケット部（９）に差込口（１１）を形成し、差込口（１１）からこのポケット部（９）に複数枚の色彩を異にするカラープレート（８）を重ねて差し込んだ。【選択図】図２
2011125536.tif 000002
【特許請求の範囲】
【請求項１】
ゴルフ手袋の甲部分に位置する開閉バンドの表面に施された標章の一部又は全部を透明に形成し、
この開閉バンドの裏面にポケット部を形成し、
このポケット部に差込口を形成し、
この差込口からこのポケット部に複数枚の色彩を異にするカラープレートを重ねて差し込んで収容したことを特徴とするゴルフ手袋。
【請求項２】
前記複数枚のカラープレートが半透明であることを特徴とする請求項１に記載のゴルフ手袋。
【請求項３】
前記ポケット部を開閉バンドの中で区分するためのポケット境界部を形成し、区分されたポケット部にカラープレートを緩みなくきつく収容したことを特徴とする請求項１又は２に記載のゴルフ手袋。
【請求項４】
前記開閉バンド裏側の手袋本体側に固着された固着端部側にこの固着端部から離れて差込口を形成し、この差込口から開閉バンドの自由端部まで２つのポケット境界部を形成し、開閉バンド裏側の縁部と差込口を除く全体に手袋本体の開閉バンドが重なる部分に設けた一方のファスナーに止着する他方のファスナーを設けたことを特徴とする請求項１ないし３のいずれか１項に記載のゴルフ手袋。
【発明の詳細な説明】
【技術分野】
【０００１】
本発明は、ゴルフゲームで使用するゴルフ手袋に関する。
【背景技術】
【０００２】
ゴルフ手袋にティーやマーカーなどを保管できるように工夫したものが開発されている。例えば、特許文献１（特開平８−３２２９７８号公報）には、ゴルフ手袋の甲の部分にポケットを設け、このポケットにティーを収容できるようにしたものが開示されている。また、特許文献２（特開２００２−１５３５８１号公報）には、グリーン上のゴルフプレーに於て、ボールの停止位置に目印を付ける道具として、一般に画鋲形状のボールマーカー（以下、「マーカー」という）が使用され、また、プレーヤーによってはマーカーに代えてコインが使用されているが、マーカーやコインは、プレー中、予備のボールやティー、グリーンフォーク等と一緒にズボンのポケットに入れて保管されるが、ポケットにはこれらが混在しているので、マーカーやコインを一つだけ素早く簡単に取り出すことが難しい状況にあったため、ゴルフ手袋にマーカーやコインの収容部を設けるようにしたものが開示されている。ゴルフ手袋に単にポケット部を設けただけのものでは、マーカーのピンが邪魔になって収容しにくく、コインはピンがないためポケット部から取り出しにくくなるという不都合を解消するため、甲部に手首締め付け用の開閉バンドを有するゴルフ手袋に於て、当該開閉バンドのバンド本体の表面に、一辺側にマーカーのピン挿通用のスリットが形成された係止部を装着して、スリットが形成された当該係止部の一辺側にマーカーやコインの挿入口が開口し、係止部の他辺側にマーカーやコインの押出口が開口する収容部を設けたものが、特許文献２に開示されている。特許文献２と同じようにマーカーが脱落しないように保持できるように工夫したゴルフ手袋は、特許文献３（特開２００４−５７６４８号公報）に記載されている。
【先行技術文献】
【特許文献】
【０００３】
【特許文献１】特開平８−３２２９７８号公報
【特許文献２】特開２００２−１５３５８１号公報
【特許文献３】特開２００４−５７６４８号公報
【発明の概要】
【発明が解決しようとする課題】
【０００４】
特許文献１〜３に記載のものは、ポケットにティーを挿し込んだり、ボールマーカーやコインを収容するというものであり、手袋の甲部分に施された文字や図案などの標章（マーク）との関連で特別の機能を果すものではなかった。最近の女性ゴルファーは、ゴルフ用具や衣服に機能性のみならずファッション性も要求し、ゴルフ手袋にもグリップ性能のみならずファッション性が要求されるようになった。
【０００５】
そこで、本発明は、ゴルフ手袋の甲部分に施された標章の色彩を簡単に変化させ、１つのゴルフ手袋でもゴルフプレー時の気分で色彩を変えられるようしようとするものである。
【課題を解決するための手段】
【０００６】
上述の目的を達成するため、本発明は、ゴルフ手袋の甲部分に位置する開閉バンドの表面に施された標章の一部又は全部を透明に形成し、この開閉バンドの裏面にポケット部を形成し、このポケット部に差込口を形成し、この差込口から複数枚の色彩を異にするカラープレートを重ねて差し込んでポケット部に収容したものである。
【発明の効果】
【０００７】
本発明によれば、ゴルフ手袋の甲部分に位置する開閉バンドの表面に施された標章の一部又は全部を透明に形成し、この開閉バンドの裏面にポケット部を形成し、このポケット部に差込口を形成し、この差込口からこのポケット部に複数枚の色彩を異にするカラープレートを重ねて差し込んでポケット部に収容したので、透明な標章のすぐ後に存在するカラープレートを取り替えることにより、標章の色彩を簡単に変えることができる。また、色彩を異にする複数枚のカラープレートをポケット部にいつも収容しておくため、カラープレートの紛失も防止することができる。さらには、複数枚のカラープレートを重ねて収容してあるため、一定の硬さがゴルフ手袋の甲部分に付与され、ゴルフスイング中に、左手の甲（右利きの場合）が外側に折れにくくなり、正しいスイングをする手助けともなる。また、カラープレートを半透明なものとすることにより、一番上、すなわち標章の真下のカラープレートの単独の色彩のみで標章を色どるのではなく、二番目、又は三番目位までの色彩が混じり合った色彩を出すこともできる。
【図面の簡単な説明】
【０００８】
【図１】ゴルフ手袋の正面図。
【図２】ゴルフ手袋の甲部分の開閉バンドを開けたときの部分的に拡大した正面図。
【図３】図２の開閉バンドの横断面図。
【図４】カラープレートの斜視図。
【図５】開閉バンドの変形例を示す正面図。
【発明を実施するための形態】
【０００９】
以下に、本発明の実施形態を図面を参照にして説明する。
【００１０】
図１に示す実施例では、皮や人工皮革などで形成された手袋本体１の甲部分に手首側から上方に向けて切込み２を形成し、この切込み２によりセパレートされた手袋本体１の一方側に手首締付け用の開閉バンド３を縫着などの手段により固着し（固着端部５）、この開閉バンド３を閉じて手袋本体１に重なる部分に一方のファスナー４（例えばマジックテープ（登録商標））を取付け、開閉バンド３の裏面にこのファスナー４に止着する他方のファスナー４を取付けてある。なお、ファスナー４の替りにホックやフックなどの止具を用いたゴルフ手袋であってもよい。
【００１１】
前記開閉バンド３の表面に文字や図案などの標章（マーク）６が施され、これら標章６の全部又は一部を透明に形成してある。また、この開閉バンド３は、２枚の素材の周縁を縫着、接着などにより固着して縁部７を形成することにより、２枚の素材の間に空隙を設けてある。そして、この縁部７とは別に、後述するカラープレート８の大きさに合わせたポケット部９を空隙内に設けるためポケット境界部１０をステッチや接着などにより形成してある。
【００１２】
図２に開閉バンド３を開いた状態、すなわちファスナー４の止着を外した状態の部分的拡大正面部を示す。この開閉バンド３の裏面の固着端部５側に、この固着端部５から離れて（２〜５ｍｍ）差込口１１を形成してある。この差込口１１から複数枚の色彩の異なるカラープレート８を差し込んでポケット部９に重ねて収容してある。これらのカラープレート８は、ポケット部９の形状と同一に形成され、ポケット境界部１０の存在によりポケット部９に緩みなくきつく収容される。カラープレート８をきつくポケット部９に収容するのは、差込口１１が開閉バンド３の裏面で、固着端部５寄りに形成されている場合は、カラープレート８のポケット部９からの脱落は少ないが、差込口１１を開閉バンド３の表面側に形成した場合（例えば図５参照）には、カラープレート８のポケット部９からの脱落防止に役立つ。
【００１３】
図３は、図２の開閉バンド３の横断面の拡大図であり、この実施例では４枚のカラープレート８を重ねてポケット部９に収容してある。開閉バンド３の表面に施された標章６の透明部分３Ａの裏面に位置するカラープレート８、例えば青色であれば、透明部分３Ａも青色に着色されたように見える。図案や文字などの標章６の色を変える場合には、開閉バンド３のファスナー４の止着を外して開閉バンド３を開き、差込口１１からカラープレート８を取出し、カラープレート８の積み重ね配列を変え、標章６の裏に例えば赤色を配すれば、標章６の透明部分３Ａが赤色に着色されたように見える。
【００１４】
前記開閉バンド３は、織布やポリウレタンシート、塩化ビニルなどから形成され、手袋本体１よりも硬い材料から形成されている。
【００１５】
図４は、カラープレート８を示し、同じ形状のものを複数枚、積み重ねてポケット部９に収容する。実施例では、セルロイド製の厚さの薄い板をそれぞれ異なる色のものに形成した。１枚１枚のカラープレート８は、単色としたが、多色のものにすることもできる。また、カラープレート８の図案対応部分と文字対応部分との色を変えたものを用意し、図案と文字とが異なる色に着色されたものにすることもできる。また、カラープレート８を半透明とし、複数の異なる色のカラープレート８を重ねることで青みがかった黄色とか、カラープレート８単体では出せない色彩を出すこともできる。カラープレート８は、不透明なものであってもよいことは勿論であり、混合して用いることもできる。
【００１６】
前記ポケット部９の差込口１１から形成個所は、図２に示す位置に限らず、ポケット部９の上下左右いずれの位置でも形成することは可能である。また、差込口１１を開閉バンド３の表面側に形成することもできる（図５参照）。図５の実施例では、開閉バンド３の表面の左側に差込口１１を形成したが、右側あるいは上下いずれかであってもよい。
【００１７】
前記ポケット境界１０を２本形成し、この２本のポケット境界部１０の間の開閉バンド３の裏面に差込口１１を形成した図２に示す実施例で、この差込口１１と縁部７を除く開閉バンド３の裏面全体にファスナー４を設けたとき、差込口１１の上下から、図２において固着端部５方向に延出する部分にもファスナー４が存在することで、相手方とのファスナー４との止着も確実なものとなり、ポケット境界部１０により開閉バンド３側のファスナーの補強にもなり、ファスナー４の繰り返しの止着動作によっても破損のおそれは少なくなる。
【符号の説明】
【００１８】
１    手袋本体
３    開閉バンド
６    標章
８    カラープレート
９    ポケット部
１０  ポケット境界部
１１  差込口
【図１】
2011125536.tif 000003
【図２】
2011125536.tif 000004
【図３】
2011125536.tif 000005
【図４】
2011125536.tif 000006
【図５】
2011125536.tif 000007